(57)【特許請求の範囲】
【請求項１】
被写体の光学像が入力され光信号を出力するレンズと、
前記光信号を電気信号に変換し、第１の映像信号として出力する撮像素子と、
前記第１の映像信号に基づき、ビューファインダー用映像信号を生成する映像信号処理部と、
操作者からの各種操作を受け付ける操作部と、
前記操作部を介した操作者からの操作に基づき前記レンズの焦点を調節するフォーカス調整部と、を備えるカメラ装置であって、
前記映像信号処理部は、前記第１の映像信号を鈍らせて、第２の映像信号を生成する映像信号生成部と、
前記第１の映像信号に基づき、輝度の低い映像部分と輝度の高い映像部分との境界に沿って、凹信号と凸信号とを含む輪郭補正信号を生成する輪郭補正信号生成部と、
前記第２の映像信号と前記輪郭補正信号とに基づく加算処理を行って、前記ビューファインダー用映像信号を生成する加算部と、
を備え、
前記映像信号生成部は、前記輪郭補正信号のレベルを反転して反転信号を出力する第２の乗算部と、前記反転信号と前記第１の映像信号とに基づく加算処理を行って前記第２の映像信号を出力する第２の加算部とを含むように構成され、
前記反転信号のレベルは、前記操作部を介した操作者からの操作に基づき決定されることを特徴とするカメラ装置。
【請求項２】
請求項１に記載したカメラ装置であって、
前記映像信号処理部は、前記操作部を介した操作者からの操作に基づき前記輪郭補正信号のレベルを変更して出力する第１の乗算部を備え、
前記加算部は、前記第２の映像信号と前記第１の乗算部の出力信号とに基づく加算処理を行って、前記ビューファインダー用映像信号を生成することを特徴とするカメラ装置。
【請求項３】
請求項１に記載したカメラ装置であって、
前記映像信号処理部は、前記輪郭補正信号から低周波成分を除去するハイパスフィルタを備え、
前記加算部は、前記第２の映像信号と前記ハイパスフィルタの出力信号とに基づく加算処理を行って、前記ビューファインダー用映像信号を生成することを特徴とするカメラ装置。
【請求項４】
請求項１に記載したカメラ装置であって、
前記輪郭補正信号生成部は、第１遅延素子と第２遅延素子と加算器と１／２回路と減算器とを備え、前記第１の映像信号である信号Ａと、前記信号Ａを前記第１遅延素子で遅延させた信号Ｂと、前記信号Ｂを前記第２遅延素子で遅延させた信号Ｃとを用いて、輪郭補正信号Ｅを、
Ｅ＝Ｂ−（Ａ＋Ｃ）／２により生成することを特徴とするカメラ装置。
【請求項５】
請求項４に記載したカメラ装置であって、
前記レンズの焦点が合っていない場合における前記輪郭補正信号Ｅのレベルは、前記レンズの焦点が合っている場合における前記輪郭補正信号Ｅのレベルよりも小さいことを特徴とするカメラ装置。
【発明の詳細な説明】
【技術分野】
【０００１】
本発明は、フォーカス合わせ補助機能を備えたカメラ装置、例えば、テレビジョンカメラ装置に関するものである。
【背景技術】
【０００２】
例えば、放送用のテレビジョンカメラ装置（以下、テレビカメラ装置）では、被写体に対するフォーカス合わせは、カメラマンがビューファインダーに表示される映像を見ながら、手動操作により行っている。しかし、テレビカメラ装置の解像度が４Ｋ（画素数が縦２０６０、横３８４０）、８Ｋ（画素数が縦４１２０、横７６８０）と高解像度化するにつれ、フォーカス合わせの精度も高精度にすることが求められるため、フォーカス合わせの作業が難しくなっている。【０００３】
一方、ビューファインダーは、小型であるため画面サイズが小さい。また、ビューファインダーの低コスト化のため、ビューファインダーには、低解像度の液晶パネルを採用することが多い。こうした事情から、高解像度のテレビカメラ装置においても、テレビカメラ装置の解像度より低い解像度のビューファインダーを使用することが多い。【０００４】
よって、テレビカメラ装置が高解像度の場合、高解像度の映像を表現するためにフォーカスを高精度に合わせる必要があるにも関わらず、低解像度のビューファインダーをそのまま使用したのでは、フォーカスを高精度に合わせることは容易ではない。【０００５】
この課題を解決するために、背景技術として、撮影した映像から被写体の輪郭信号を抽出して元映像に付加し、輪郭を強調することで、輪郭信号の強弱を見ながらフォーカス合わせをする技術がある（特許文献１参照）。しかし、映像の画柄によっては、一定程度以上フォーカスが合った状態では輪郭信号の強弱が同程度に見えるため、高精度にフォーカス合わせをすることができない。【０００６】
また、ビューファインダー上に、輪郭信号の強弱を示すインジケーターを、数値やバーにより表示する技術がある（特許文献２参照）。しかし、ビューファインダー上の映像とインジケーターを同時に見ながらフォーカス操作をすることは容易ではない。ビューファインダー上の映像とインジケーターを交互に確認するには、視点を頻繁に移動しなければならず、撮影者であるカメラマンの負担が大きい。【０００７】
また、撮影した映像の一部分をビューファインダー上に拡大表示する技術がある（特許文献３参照）。しかし、フォーカス合わせをする映像の位置は、撮影シーンに応じて変わるため、拡大する映像の位置を頻繁に変更しなければならないという問題や、ビューファインダー上において、拡大映像を表示した場所の映像が、拡大映像によって隠れてしまうという問題がある。
【先行技術文献】
【特許文献】
【０００８】
【特許文献１】特開平１０−２３３９６１号公報
【特許文献２】特開２０１２−１６３７１１号公報
【特許文献３】特開２０１１−２８０５７号公報
【発明の概要】
【発明が解決しようとする課題】
【０００９】
本発明の目的は、カメラマンが容易にフォーカス合わせをすることができるように補助する技術（フォーカスアシスト技術）を提供することにある。
【課題を解決するための手段】
【００１０】
上記課題を解決するための、本願発明に係るカメラ装置の代表的な構成は、次のとおりである。すなわち、
被写体の光学像が入力され光信号を出力するレンズと、
前記光信号を電気信号に変換し、第１の映像信号として出力する撮像素子と、
前記第１の映像信号に基づき、ビューファインダー用映像信号を生成する映像信号処理部と、
操作者からの各種操作を受け付ける操作部と、
前記操作部を介した操作者からの操作に基づき前記レンズの焦点を調節するフォーカス調整部と、
を備えるカメラ装置であって、
前記映像信号処理部は、
前記第１の映像信号を鈍らせて、第２の映像信号を生成する映像信号生成部と、
前記第１の映像信号に基づき、輝度の低い映像部分と輝度の高い映像部分との境界に沿って、凹信号と凸信号とを含む輪郭補正信号を生成する輪郭補正信号生成部と、
前記第２の映像信号と前記輪郭補正信号とに基づく加算処理を行って、前記ビューファインダー用映像信号を生成する加算部と、
を備えることを特徴とするカメラ装置。
【発明の効果】
【００１１】
上記構成によれば、カメラマンのフォーカス合わせを補助することができる。
【図面の簡単な説明】
【００１２】
【図１】本発明の実施形態に係るテレビカメラ装置の構成図である。
【図２】第１実施例に係る映像信号処理部の構成図である。
【図３】第１実施例に係る輪郭補正信号生成部の構成図である。
【図４Ａ】第１実施例に係る輪郭補正信号生成部の動作を説明するための図である。
【図４Ｂ】第１実施例に係る輪郭補正信号生成部の動作を説明するための図である。
【図５Ａ】第１実施例に係る映像信号処理部の動作を説明するための図である。
【図５Ｂ】第１実施例に係る映像信号処理部の動作を説明するための図である。
【図５Ｃ】第２実施例に係る映像信号処理部の動作を説明するための図である。
【図５Ｄ】第２実施例に係る映像信号処理部の動作を説明するための図である。
【図６】第３実施例に係る映像信号処理部の構成図である。
【図７Ａ】第３実施例に係る映像信号処理部の動作を説明するための図である。
【図７Ｂ】第３実施例に係る映像信号処理部の動作を説明するための図である。
【発明を実施するための形態】
【００１３】
（本発明の実施形態）
本発明の実施形態について説明する。
図１は、本発明の実施形態に係るテレビカメラ装置の構成図である。本実施形態のテレビカメラ装置１０は、図１に示すように、レンズ１１と、撮像素子１２と、映像信号処理部１３と、制御部１４と、操作部１５と、フォーカス調節部１６と、ＶＦ映像信号出力部１７と、本線映像信号出力部１８と、ＶＦ（ビューファインダー）１９とを含むように構成される。
【００１４】
レンズ１１は、被写体の光学像が入力され光信号１１ｓを出力する撮影用のレンズである。撮像素子１２は、レンズ１１を通して取り込まれた光学像（光信号１１ｓ）を、デジタル電気信号に変換し、映像信号１２ｓとして出力する。例えば、撮像素子１２は、本実施形態では、４ＫのＣＣＤ（Charge Coupled Device）イメージセンサ（例えば画素数が縦２０６０、横３８４０）により構成される。撮像素子１２の出力１２ｓは、ＣＣＤイメージセンサの画素を走査して得られるシリアル信号であり、例えば、Ｒ（赤）の水平走査信号、Ｇ（緑）の水平走査信号、Ｂ（青）の水平走査信号の順に繰り返し出力され、１フレーム分の映像信号を形成する。
【００１５】
映像信号処理部１３は、撮像素子１２から出力された映像信号に基づき、ビューファインダー用映像信号を生成する。詳しくは、映像信号処理部１３は、撮像素子１２からの映像信号出力１２ｓに対し、ゲイン調整処理、ノイズ低減処理、色調補正処理を行い、放送等に用いる本線用映像信号Ｈ（以下、単に本線用信号Ｈとも言う）と、ＶＦ１９の表示に用いるビューファインダー用映像信号Ｖ（以下、ＶＦ用映像信号Ｖ、又はＶＦ用信号Ｖとも言う）とを生成する。このＶＦ用信号Ｖは、信号出力１２ｓを鈍らせたうえで、後述の輪郭補正信号が加算されたものである。映像信号処理部１３の詳細は後述する。
【００１６】
制御部１４は、テレビカメラ装置１０の各構成部を制御する。例えば、制御部１４は、予め設定された値、又は、操作部１５で受け付けた操作者（カメラマン）からの指示に基づき、制御信号１４ｓ３により、後述の輪郭補正信号や反転信号のレベルを強弱させる。制御信号１４ｓ３は、複数の信号を含み、それらの総称である。また、制御部１４は、操作部１５で受け付けたフォーカス調節に関する操作者からの指示に基づき、制御信号１４ｓ１により、フォーカス調節部１６に対し、レンズ１１を駆動させる。また、制御部１４は、操作部１５で受け付けた操作者からの指示に基づき、制御信号１４ｓ２により、撮像素子１２のシャッター時間やゲインを制御する。
【００１７】
操作部１５は、操作者からの各種操作を受け付け、信号１５ｓにより制御部１４へ伝える。例えば、操作部１５は、後述の輪郭補正信号や反転信号のレベルを強弱させるための操作者からの指示を受け付け、制御部１４へ伝える。また、操作部１５は、フォーカス調節に関する操作者からの指示を受け付け、制御部１４へ伝える。操作部１５は、各種情報を表示する表示部を含むように構成してもよい。
【００１８】
フォーカス調節部１６は、制御部１４を介した操作部１５からの操作者の指示に基づき、レンズ１１を駆動、つまり、レンズ１１の位置を動かして、レンズ１１の焦点を調節する。フォーカス合わせとは、レンズ１１の焦点を合わせることである。なお、フォーカス調節部１６が、制御部１４を介すことなく、操作部１５からの直接的指示（つまり、操作者の直接的操作）に基づき、レンズ１１を駆動し、レンズ１１の焦点を調節するよう構成してもよい。
【００１９】
ＶＦ映像信号出力部１７は、映像信号処理部１３で生成されたＶＦ用信号Ｖを、ＶＦ１９で表示可能な信号に変換する。本線映像信号出力部１８は、映像信号処理部１３で生成された本線用信号Ｈを、放送等で表示可能な信号に変換する。本線用信号とは、放送等、テレビカメラ装置１０本来の目的に用いる信号である。
【００２０】
ＶＦ１９は、被写体の位置やフォーカス（焦点）等が適正であるか否かを、カメラマンが撮影時に視認するためのビューファインダーである。本実施形態のビューファインダーは、背景技術の説明で述べたとおり、小型であるため画面サイズが小さく、また、テレビカメラ装置１０のＣＣＤイメージセンサよりも解像度の低い液晶パネル（例えば、画素数が縦５４０、横９６０）を用いている。
【００２１】
こうして、テレビカメラ装置１０において、レンズ１１を通過した入射光は、撮像素子１２によって電気信号に変換され、映像信号処理部１３で映像信号処理を施されたのち、ＶＦ映像信号出力部１７と本線映像信号出力部１８に送られる。ＶＦ映像信号出力部１７の出力１７ｓは、ビューファインダー用映像信号として、ＶＦ１９へ送られる。本線映像信号出力部１８の出力１８ｓは、本線用映像信号として、放送等で用いられる。
【００２２】
ビューファインダー用映像信号１７ｓは、本線用映像信号１８ｓとは異なる映像信号であり、本線用映像信号１８ｓと比べ、例えば、マーカー信号、ゼブラ信号、フォーカス合わせ補助信号が付加された映像信号である。マーカー信号やゼブラ信号はよく知られているもので、マーカー信号は、ビューファインダー内の映像に対し、中心位置や撮影範囲等を示すマーカーを表示するための信号である。ゼブラ信号は、設定された輝度レベルを超えたときに斜線状のパターン（ゼブラパターン）を表示するための信号である。
【００２３】
映像信号処理部１３において、撮像素子１２からの出力信号１２ｓに対し、後述するようにフォーカス合わせを補助するための信号が付加され、さらに、図示しないマーカー／ゼブラ信号付加部でマーカー信号とゼブラ信号が付加され、ＶＦ映像信号出力部１７へ入力される。フォーカス合わせを補助するための信号については、以降の実施例で詳しく説明する。
【００２４】
（第１実施例）
次に、フォーカス合わせ補助機能を有する映像信号処理部１３について説明する。まず、第１実施例に係る映像信号処理部１３ついて、図２を用いて説明する。図２は、本発明の実施形態の第１実施例に係る映像信号処理部の構成図である
【００２５】
第１実施例の映像信号処理部１３は、図２に示すように、ゲイン調整部１３１と、ノイズ低減部１３２と、色調補正部１３３と、輪郭補正信号生成部１３４と、ＨＰＦ（ハイパスフィルタ）１３５と、乗算部１３６と、ＬＰＦ（ローパスフィルタ）１３７と、加算部１３８とを含むように構成される。
【００２６】
ゲイン調整部１３１は、上述した制御部１４からの制御信号１４ｓ３に基づき、撮像素子１２からの出力信号１２ｓに対し、ゲイン調整処理を行う。つまり、ゲイン調整部１３１は、制御部１４からの指示と比べ、出力１２ｓのレベルが低いときは高くなるよう調整し、出力１２ｓのレベルが高いときは低くなるよう調整して、ゲイン調整部１３１の出力信号Ａのレベルが、所定の範囲内に収まるようにする。
【００２７】
ノイズ低減部１３２は、撮像素子１２などから発生した映像ノイズを低減する。色調補正部１３３は、制御部１４からの制御信号１４ｓ３に基づき、ノイズ低減部１３２からの出力信号１３２ｓに対し、例えば映像の赤みを強調する等の色調補正を行う。色調補正部１３３からの出力信号は、本線用映像信号Ｈとして用いられる。なお、映像信号処理部１３の構成において、ゲイン調整部１３１、ノイズ低減部１３２、色調補正部１３３を用いることは公知である。
【００２８】
輪郭補正信号生成部１３４は、ゲイン調整後の映像信号Ａに基づき、被写体の輪郭を補正して強調するための輪郭補正信号Ｅを生成する。なお、輪郭補正信号生成部１３４の入力信号を、ゲイン調整部１３１の出力信号Ａでなく、色調補正部１３３の出力信号Ｈとするよう構成してもよい。輪郭補正信号Ｅは、被写体の輪郭に沿って生成、つまり、１画面（つまり１フレーム）の映像のうち輝度の低い映像部分と輝度の高い映像部分との境界に沿って生成される。輪郭補正信号Ｅは、後述の図４Ａ等に示すように、凹信号と凸信号とを含むように構成される。カメラマンは、凹信号と凸信号を含む信号Ｖの鮮明度（つまり、輝度の強弱の鮮明度）に基づき、フォーカスが合っているか否かを判断する。フォーカス調整の詳細は後述する。
【００２９】
ＨＰＦ１３５は、輪郭補正信号生成部１３４で生成された輪郭補正信号Ｅから、低周波成分を除去するハイパスフィルタである。この低周波成分があると、輪郭補正信号Ｅの生成する映像にノイズが含まれることになり、フォーカス合わせするときに、ＶＦ１９の画面が見づらくなる。ＨＰＦ１３５は、本実施例に必須の構成ではないが、設けることが望ましい。
【００３０】
乗算部１３６は、制御部１４からの制御信号１４ｓ３に基づき、ＨＰＦ１３５の出力信号１３５ｓに対し、数値を乗算する、つまり、出力信号１３５ｓのレベルを変更して出力する。この制御信号１４ｓ３は、操作部１５を介した操作者からの操作に基づき、制御部１４から出力される。これにより、カメラマンは、輪郭補正信号Ｅを構成する凹信号と凸信号の輝度の強弱差を、フォーカス合わせし易いように調節することができる。乗算部１３６は、本実施例に必須の構成ではないが、設けることが望ましい。
【００３１】
ＬＰＦ１３７は、高周波成分を除去するローパスフィルタであり、撮像素子１２からの映像信号である第１の映像信号を鈍らせて、第２の映像信号として生成し出力する映像信号鈍らせ部（映像信号生成部）である。詳しくは、ＬＰＦ１３７は、撮像素子１２から出力された映像信号である色調補正部１３３の出力信号Ｈ（つまり、本線用信号Ｈ）を鈍らせて、映像の輪郭の縦方向成分をぼかした映像信号Ｆ、つまり、映像の輪郭の縦方向成分の輝度が横方向に徐々に変化（上昇又は下降）する映像信号Ｆを生成し、加算部１３８へ出力する。
【００３２】
加算部１３８は、映像信号Ｆと輪郭補正信号Ｅとに基づく加算処理を行って、ビューファインダー用映像信号である信号Ｖを生成する。具体的には、本例では、加算部１３８は、ＬＰＦ１３７で生成された映像信号Ｆに対し、乗算部１３６の出力信号Ｇを加算する。つまり、ＬＰＦ１３７で映像の輪郭の縦方向成分をぼかされた映像信号Ｆに対し、乗算部１３６で凹信号と凸信号の輝度の強弱差（コントラストの大きさ）が調節された輪郭補正信号Ｅを重畳し、ビューファインダー用のＶＦ用信号Ｖを生成する。
【００３３】
このように、映像の輪郭の輝度の縦方向成分が横方向に徐々に変化する映像信号Ｆに対し、凹信号と凸信号を含む輪郭補正信号Ｅを重畳してＶＦ用信号Ｖを生成するので、ビューファインダーの映像では、フォーカスが合った状態と合っていない状態とを識別し易くなる。これにより、高精度にフォーカス合わせをすることができる。
【００３４】
なお、ＬＰＦ１３７は、操作者がフォーカス合わせ機能を有効にしたときだけ、そのフィルタ機能を有効にし、フォーカス合わせ機能を無効にしたときは、そのフィルタ機能を無効にしバイパスする（つまり、色調補正部１３３の出力信号Ｈを加算部１３８の入力とする）よう構成してもよい。このとき、フォーカス合わせ機能を有効にする条件として、操作部１５に表示されたメニューの操作により有効にすることや、操作部１５に具備したスイッチにより有効にすることや、フォーカス調節部１６でフォーカス調節操作をした場合のみ有効にすることが挙げられる。
【００３５】
次に、輪郭補正信号生成部１３４の処理について、図３と図４Ａと図４Ｂを用いて説明する。図３は、第１実施例に係る輪郭補正信号生成部１３４の構成図である。図４Ａと図４Ｂは、第１実施例に係る輪郭補正信号生成部１３４の動作を説明するための図である。図４Ａは、レンズ１１の焦点が合っている場合を示し、図４Ｂは、レンズ１１の焦点が合っていない場合を示す。図４Ａと図４Ｂにおいて、横軸は時間経過、縦軸は輝度レベルを示す。
【００３６】
図３に示すように、輪郭補正信号生成部１３４は、第１遅延素子３１と、第２遅延素子３２と、加算器３３と、１／２回路３４と、減算器３５とを備える。
【００３７】
第１遅延素子３１と第２遅延素子３２は、入力された信号を、所定時間遅延させて出力する。第１遅延素子３１と第２遅延素子３２の遅延時間は、それぞれ、ｔ１とｔ２である。本実施例ではｔ１＝ｔ２＝ｔとしているが、ｔ１とｔ２が異なるように構成してもよい。例えば、撮像素子１２が４ＫのＣＣＤで、フレーム周波数が約６０Ｈｚ、フレーム走査線数が２２５０、１走査線当たりの画素数が４４００の場合、ｔ＝約１．７ｎｓとなる。
【００３８】
なお、輪郭補正信号生成部１３４は、ハードウエアにより実現してもよいし、ＣＰＵ（Central Processing Unit）とメモリを用いてソフトウエアにより実現してもよい。輪郭補正信号生成部１３４をソフトウエアにより実現する場合、ＣＰＵは、撮像素子１２から受信する映像信号１２ｓを刻々とメモリに保存し、該保存した映像信号１２ｓに基づき、輪郭補正信号Ｅを生成する。
【００３９】
また、輪郭補正信号生成部１３４をソフトウエアにより実現する場合、フレーム数やフレーム走査線数を間引くことにより、輪郭補正信号生成のための処理時間を長くするようにしてもよい。例えば、３０フレームに１回だけ輪郭補正信号生成部１３４の処理を行って処理結果（輪郭補正信号Ｅ）をメモリに保存し、輪郭補正信号生成部１３４の処理を行わないフレームについては、メモリに保存していた輪郭補正信号Ｅを出力する。
【００４０】
加算器３３は、入力信号を加算して出力する。図３の例では、加算器３３は、入力Ａと入力Ｃとを加算して、（Ａ＋Ｃ）を出力する。１／２回路３４は、入力信号のレベルを１／２にして出力する。図３の例では、１／２回路３４は、その入力（つまり、加算器３３の出力）である（Ａ＋Ｃ）を１／２にして、Ｄ＝（Ａ＋Ｃ）／２を出力する。減算器３５は、２つの入力信号の一方から他方を減算して出力する。減算器３５の出力が、輪郭補正信号生成部１３４の出力Ｅとなる。図３の例では、減算器３５は、入力Ｂから入力Ｄを減算してＥを出力する。
【００４１】
このように、輪郭補正信号生成部１３４に入力される信号をＡ、第１遅延素子３１により時間tだけ信号Ａから遅れた信号をＢ、第２遅延素子３２により時間ｔだけ信号Ｂから遅れた信号をＣ、１／２回路３４の出力をＤとすると、輪郭補正信号生成部１３４で生成される輪郭補正信号Ｅは次の式（１）で表される。
Ｅ＝Ｂ−Ｄ
＝Ｂ−（Ａ＋Ｃ）／２・・・式（１）
【００４２】
図４Ａに示すように、レンズ１１の焦点が合っている場合、入力信号Ａは、立ち上がりａ１と立ち下がりａ３が急峻となる。図４Ａの信号Ｂは、信号Ａが時間ｔだけ遅れたものである。図４Ａの信号Ｃは、信号Ｂが時間ｔだけ遅れたものである。この結果、（Ａ＋Ｃ）／２である信号Ｄは、図４Ａに示すように、立ち上がり（ｄ０→ｄ２）と立ち下がり（ｄ２→ｄ４）が階段状となる。階段の平坦部分ｄ１及びｄ３のレベルは、それぞれ、信号Ａ（レベルｈ）の１／２である。平坦部分ｄ１及びｄ３の時間は、それぞれ、２ｔである。
【００４３】
そして、上述の式（１）により、輪郭補正信号Ｅが取得される。信号Ｅは、図４Ａに示すように、信号Ａの立ち上がりａ１に対応するように、凹部ｅ１と凸部ｅ２を有し、信号Ａの立ち下がりａ３に対応するように、凸部ｅ４と凹部ｅ５を有する。
【００４４】
つまり、立ち上がりａ１のタイミングで、平坦部ｅ０から凹部ｅ１が立ち下がり、凹部ｅ１の立ち下がりのｔ時間後に、凸部ｅ２が立ち上がり、凸部ｅ２の立ち上がりのｔ時間後に、平坦部ｅ０と同じレベルの平坦部ｅ３が始まる。また、立ち下がりａ３のタイミングで凸部ｅ４が立ち上がり、凸部ｅ４の立ち上がりのｔ時間後に、凹部ｅ５が立ち下がり、凹部ｅ５の立ち下がりのｔ時間後に、平坦部ｅ０と同じレベルの平坦部ｅ６が始まる。
【００４５】
凹部ｅ１と凹部ｅ５の深さは、それぞれ、信号Ａ（レベルｈ）の１／２である。凸部ｅ２と凸部ｅ４の高さは、それぞれ、信号Ａ（レベルｈ）の１／２である。
【００４６】
また、図４Ｂに示すように、レンズ１１の焦点が合っていない場合、入力信号Ａは、立ち上がりと立ち下がりが鈍って階段状となる。この結果、（Ａ＋Ｃ）／２である信号Ｄは、図４Ｂに示すように、立ち上がりがｄ０〜ｄ４の階段状となり、立ち下がりがｄ４〜ｄ８の階段状となる。階段の平坦部分ｄ１〜ｄ４、ｄ７〜ｄ４のレベルは、それぞれ、信号Ａ（レベルｈ）の１／４〜４／４である。階段の平坦部分ｄ１〜ｄ３、ｄ５〜ｄ７の時間は、それぞれ、ｔである。
【００４７】
そして、上述の式（１）により、輪郭補正信号Ｅが取得される。信号Ｅは、図４Ｂに示すように、信号Ａの立ち上がり（ａ０→ａ１）に対応するように、凹部ｅ１と中間部ｅ２と凸部ｅ３を有し、信号Ａの立ち下がり（ａ２→ａ３）に対応するように、凸部ｅ５と中間部ｅ６と凹部ｅ７を有する。中間部とは、凹部と凸部の中間のレベルの平坦部分である。
【００４８】
つまり、立ち上がり（ａ０→ａ１）のタイミングで、平坦部ｅ０から凹部ｅ１が立ち下がり、凹部ｅ１の立ち下がりからｔ時間後に、中間部ｅ２が始まり、中間部ｅ２の始まりからｔ時間後に、凸部ｅ３が立ち上がり、凸部ｅ３の立ち上がりからｔ時間後に、平坦部ｅ０と同じレベルの平坦部ｅ４が始まる。
【００４９】
また、立ち下がり（ａ２→ａ３）のタイミングで、凸部ｅ５が立ち上がり、凸部ｅ５の立ち上がりからｔ時間後に、中間部ｅ６が始まり、中間部ｅ６の始まりからｔ時間後に、凹部ｅ７が立ち下がり、凹部ｅ７の立ち下がりからｔ時間後に、平坦部ｅ０と同じレベルの平坦部ｅ８が始まる。
【００５０】
凹部ｅ１と凹部ｅ７の深さは、それぞれ、信号Ａ（レベルｈ）の１／４である。凸部ｅ３と凸部ｅ５の高さは、それぞれ、信号Ａ（レベルｈ）の１／４である。
【００５１】
このように、輪郭補正信号Ｅは、レンズ１１の焦点が合っていない場合の凹部の深さや凸部の高さが、レンズ１１の焦点が合っている場合よりも小さく、また、レンズ１１の焦点が合っていない場合の凹部と凸部の間の間隔が、レンズ１１の焦点が合っている場合よりも大きい。したがって、輪郭補正信号Ｅを加算されたビューファインダー用映像信号Ｖは、輪郭補正信号Ｅを加算されていない場合に比べて、レンズ１１の焦点が合っているときには対象画像端部のコントラストをより鮮明にし、レンズ１１の焦点が合っていないときには対象画像端部のコントラストをより不鮮明にすることができる。
【００５２】
図５Ａと図５Ｂは、第１実施例に係る映像信号処理部１３の動作を説明するための図である。図５Ａは、レンズ１１の焦点が合っている場合を示し、図５Ｂは、レンズ１１の焦点が合っていない場合を示す。図５Ａと図５Ｂにおいて、横軸は時間経過、縦軸は輝度レベルを示す。
【００５３】
図２で示したように、信号Ｆは、加算部１３８の一方の入力（つまり、本線用信号ＨがＬＰＦ１３７を通過した後の信号）、信号Ｇは、加算部１３８の他方の入力（つまり、輪郭補正信号ＥがＨＰＦ１３５と乗算部１３６を通過した後の信号）、信号Ｖは、信号Ｆと信号Ｇを加算部１３８で加算した結果（つまり、ビューファインダー用の映像信号出力）である。
【００５４】
すなわち、信号Ｇは、上記輪郭補正信号Ｅに対し、ＨＰＦ１３５を通過させ、乗算部１３６で信号レベルを調整されたものである。この調整は、上述したように、例えば、操作部１５を介した操作者からの操作に基づき、レンズ１１の焦点が合っている状態と合っていない状態とを、ＶＦ１９において峻別が容易となるように行われる。図５Ａ及び図５Ｂの例は、乗算部１３６の乗数が１の場合、つまり、輪郭補正信号生成部１３４の出力Ｅと乗算部１３６の出力Ｇのレベルが同じ場合である。
【００５５】
まず、図５Ａを用いてレンズ１１の焦点が合っている場合について説明する。
加算部１３８の一方の入力Ｆは、本線用信号ＨをＬＰＦ１３７で鈍らせたものであり、レンズ１１の焦点が合っている場合（つまり信号Ｈが鈍っていない場合）も、図５Ａに示すように、立ち上がり（ｆ０→ｆ２）と立ち下がり（ｆ２→ｆ４）が鈍って階段状となる。階段の平坦部分ｆ１及びｆ３のレベルは、それぞれ、信号Ｈ（レベルｈ）の１／２である。平坦部分ｆ１及びｆ３の時間は、それぞれ、ｔである。
【００５６】
また、加算部１３８の他方の入力Ｇは、図５Ａの例では図４Ａの輪郭補正信号Ｅと同じ波形の信号であり、信号Ｆの立ち上がり（ｆ０→ｆ１）に対応するように、凹部ｇ１と凸部ｇ２を有し、信号Ｆの立ち下がり（ｆ２→ｆ３）に対応するように、凸部ｇ４と凹部ｇ５を有する。つまり、信号Ｆの立ち上がり（ｆ０→ｆ１）のタイミングで凹部ｇ１が立ち下がり、信号Ｆの立ち下がり（ｆ２→ｆ３）のタイミングで凸部ｇ４が立ち上がる。凹部ｇ１と凹部ｇ５の深さは、それぞれ、信号Ｈ（レベルｈ）の１／２である。凸部ｇ２と凸部ｇ４の高さは、それぞれ、信号Ｈ（レベルｈ）の１／２である。
【００５７】
こうして、加算部１３８の出力、つまり、ビューファインダー用の映像信号出力である信号Ｖは、図５Ａに示すとおり、信号Ｆの立ち上がり（ｆ０→ｆ２）に対応するように、映像信号なしの状態であるｖ０からレベルが３／２ｈのｖ１に急上昇し、時間ｔだけｖ１を維持した後、レベルがｈのｖ２に降下する。その後、信号Ｖは、信号Ｆの立ち下がり（ｆ２→ｆ４）に対応するように、深さが１／２ｈの凹部ｖ３まで急降下し、時間ｔだけｖ３を維持した後、映像信号なしの状態であるｖ４になる。
【００５８】
つまり、レンズ１１の焦点が合っている場合、信号ＦがＬＰＦ１３７により鈍らされたにも拘わらず、輪郭補正するための信号Ｇにより信号Ｆの鈍りが補正されるので、信号Ｖは、その輪郭が鮮明となる。
【００５９】
次に、図５Ｂを用いてレンズ１１の焦点が合っていない場合について説明する。
図５Ｂに示すように、焦点が合っていない場合、加算部１３８の一方の入力Ｆは、焦点が合っていない本線用信号Ｈを、ＬＰＦ１３７で更に鈍らせたものであり、立ち上がり（ｆ０→ｆ４）と立ち下がり（ｆ４→ｆ８）が鈍って階段状となる。階段の平坦部分ｆ１〜ｆ４のレベルは、それぞれ、信号Ｈ（レベルｈ）の１／４、２／４、３／４、４／４であり、ｆ５〜ｆ７のレベルは、それぞれ、信号Ｈ（レベルｈ）の３／４、２／４、１／４である。平坦部分ｆ１、ｆ２、ｆ３、ｆ５、ｆ６、ｆ７の時間は、それぞれ、ｔである。
【００６０】
また、加算部１３８の他方の入力Ｇは、図５Ｂの例では図４Ｂの輪郭補正信号Ｅと同じ波形の信号であり、信号Ｆの立ち上がり（ｆ０→ｆ４）に対応するように、凹部ｇ１と中間部ｇ２と凸部ｇ３を有し、信号Ｆの立ち下がり（ｆ４→ｆ８）に対応するように、凸部ｇ５と中間部ｇ６と凹部ｇ７を有する。凹部ｇ１と凹部ｇ７の深さは、それぞれ、信号Ｈ（レベルｈ）の１／４である。凸部ｇ３と凸部ｇ５の高さは、それぞれ、信号Ｈ（レベルｈ）の１／４である。
【００６１】
こうして、加算部１３８の出力、つまり、ビューファインダー用の映像信号出力である信号Ｖは、図５Ｂに示すとおり、段階的にｖ０からｖ２に上昇し、その後、段階的にｖ２からｖ４に下降する。
【００６２】
詳しくは、信号Ｖは、信号Ｆの立ち上がり（ｆ０→ｆ４）に対応するように、映像信号なしの状態であるｖ０からレベルが１／２ｈのｖ１に上昇し、時間ｔだけｖ１を維持した後、ｖ１からレベルがｈのｖ２に上昇する。その後、信号Ｖは、信号Ｆの立ち下がり（ｆ４→ｆ８）に対応するように、レベルが１／２ｈのｖ３に降下し、時間ｔだけｖ３を維持した後、映像信号なしの状態であるｖ４に降下する。
【００６３】
つまり、レンズ１１の焦点が合っていない場合、信号ＦがＬＰＦ１３７により鈍らされたうえ、輪郭補正するための信号Ｇのレベルが、レンズ１１の焦点が合っている場合よりも小さいので、信号Ｇによる信号Ｆの鈍り補正が小さい。したがって、信号Ｖは、その輪郭が不鮮明となる。
【００６４】
こうして、ビューファインダー用の映像信号出力である信号Ｖは、レンズ１１の焦点が合っている場合、図５Ａに示すとおり、立ち上がり及び立ち下がりが急峻となり、また、立ち上がりのレベル（ｖ０→ｖ１）、及び立ち下がりのレベル（ｖ２→ｖ３）は、いずれも３／２ｈで、本線用信号Ｈの立ち上がりのレベル及び立ち下がりのレベルｈよりも大きい。また、レンズ１１の焦点が合っていない場合、信号Ｖは、図５Ｂに示すとおり、立ち上がり及び立ち下がりが階段状となる。
【００６５】
このように、ビューファインダー用映像信号となる信号Ｖは、ＬＰＦ１３７で鈍らせた本線用信号Ｈに、輪郭補正信号である信号Ｇを加算することで、レンズ１１の焦点が合っている場合、立ち上がりと立ち下がりが急峻となり、ビューファインダー上における対象画像端部のコントラストが鮮明になる。また、信号Ｖは、レンズ１１の焦点が合っていない場合、立ち上がりと立ち下がりが緩やかな階段状となり、ビューファインダー上における対象画像端部のコントラストが不鮮明になる。したがって、カメラマンがビューファインダーを見て、コントラストを確認しながらフォーカス合わせをすることができるため、より直観的で容易なフォーカス操作が可能になる。
【００６６】
なお、図２のＨＰＦ１３５のフィルタ機能を強化することにより、レンズ１１の焦点が合っていない場合において、図５Ｂの信号Ｇのレベルを無視できる程度に抑制するよう構成してもよい。レンズ１１の焦点が合っていない場合、図５Ｂに示すように、信号Ｇのレベルが小さくなるので、ＨＰＦ１３５のフィルタ機能を強化して低周波成分をより強力に除去することにより、信号Ｇのレベルを無視できる程度に抑制することができる（第３実施例の図７Ｂ参照）。このようにすると、レンズ１１の焦点が合っていない場合、ビューファインダー用映像信号となる信号Ｖの波形は、ほぼ信号Ｆの波形と同一となり、立ち上がりと立ち下がりが更に緩やかな階段状となるので、レンズ１１の焦点が合っている場合との差が大きくなる。したがって、カメラマンがビューファインダーを見て、フォーカス合わせをすることが、より容易となる。
【００６７】
（第２実施例）
次に、本実施形態の第２実施例について説明する。
上述した第１実施例の図５Ａと図５Ｂの例では、信号Ｆの立ち上がり（ｆ０→ｆ１）のタイミングで信号Ｇの凹部ｇ１が立ち下がるように、信号Ｇのタイミングを設定したが、信号Ｆに対する信号Ｇのタイミングを変えることも可能である。例えば、信号Ｆの立ち上がり（ｆ０→ｆ１）のタイミングよりもｔ時間前に凹部ｇ１が立ち下がるように、信号Ｇのタイミングを設定してもよい。このとき、必要であれば、信号Ｆを遅らせる遅延部を設けるようにする（図６の遅延部１４４参照）。
【００６８】
第２実施例では、信号Ｇのタイミングを、第１実施例の図５Ａと図５Ｂにおけるタイミングよりも、時間ｔだけ早める。その他の構成は、第１実施例と同じである。
【００６９】
図５Ｃと図５Ｄは、第２実施例に係る映像信号処理部１３の動作を説明するための図である。図５Ｃは、レンズ１１の焦点が合っている場合を示し、図５Ｄは、レンズ１１の焦点が合っていない場合を示す。図５Ｃと図５Ｄにおいて、横軸は時間経過、縦軸は輝度レベルを示す。
【００７０】
レンズ１１の焦点が合っている場合、ビューファインダー用の映像信号出力である信号Ｖは、図５Ｃに示すとおり、信号Ｆの立ち上がり（ｆ０→ｆ２）に対応するように、映像信号なしの状態であるｖ０からレベルが１／２ｈだけ降下してｖ１になり、時間ｔだけｖ１を維持する。その後、信号Ｖは、レベルがｈのｖ２に急上昇する。次に、信号Ｖは、信号Ｆの立ち下がり（ｆ２→ｆ４）に対応するように、レベルが３／２ｈのｖ３に上昇し、時間ｔだけｖ３を維持する。その後、信号Ｖは、ｖ３からレベルが３／２ｈだけ急降下して、映像信号なしの状態であるｖ４になる。
【００７１】
また、レンズ１１の焦点が合っていない場合、信号Ｖは、図５Ｄに示すとおり、信号Ｆの階段状の立ち上がり（ｆ１→ｆ４）に対応するように、映像信号なしの状態であるｖ０からレベルが１／４ｈだけ降下してｖ１になり、時間ｔだけｖ１を維持する。その後、信号Ｖは、ｖ１からレベルがｈのｖ４まで、階段状に立ち上がる。また、信号Ｖは、信号Ｆの階段状の立ち下がり（ｆ４→ｆ８）に対応するように、ｖ４からレベルが５／４ｈのｖ５まで上昇し、時間ｔだけｖ５を維持する。その後、信号Ｖは、映像信号なしの状態であるｖ８まで、階段状に立ち下がる。
【００７２】
階段の平坦部分ｖ２とｖ７のレベルは１／４ｈ、ｖ３とｖ６のレベルは３／４ｈ、ｖ４のレベルはｈ、ｖ５のレベルは５／４ｈである。平坦部分ｖ１とｖ２とｖ５とｖ６の時間は、それぞれ、ｔである。ｖ３とｖ７の時間は、それぞれ、２ｔである。
【００７３】
こうして、信号Ｖは、レンズ１１の焦点が合っている場合、図５Ｃに示すとおり、立ち上がり及び立ち下がりが急峻となり、また、レンズ１１の焦点が合っていない場合、信号Ｖは、図５Ｄに示すとおり、立ち上がり及び立ち下がりが階段状となる。
【００７４】
第１実施例又は第２実施例によれば、少なくとも以下に示す効果を奏する。
（Ａ１）ＬＰＦで鈍らせた本線用映像信号に、凹部と凸部を有する輪郭補正信号を加算し、ビューファインダー用映像信号を生成するように構成したので、レンズの焦点が合っている場合、ビューファインダー用映像信号の立ち上がりと立ち下がりが急峻となり、レンズの焦点が合っていない場合、立ち上がりと立ち下がりが緩やかな階段状となる。したがって、カメラマンがビューファインダーを見てフォーカス合わせをすることが、容易となる。
（Ａ２）操作者からの操作に基づき輪郭補正信号のレベルを変更できるように構成したので、輪郭補正信号を映像の状況に合った適切なレベルとすることができ、より容易にフォーカス合わせをすることができる。
（Ａ３）輪郭補正信号から低周波成分を除去するハイパスフィルタを設けるように構成したので、輪郭補正信号を生成する際に発生する映像ノイズを除去でき、ビューファインダーの映像が見づらくなるのを抑制できる。
（Ａ４）輪郭補正信号は、ＬＰＦで鈍らせる前の本線用映像信号Ａと、信号Ａを第１遅延素子で遅延させた信号Ｂと、信号Ｂを第２遅延素子で遅延させた信号Ｃを用いて、
Ｅ＝Ｂ−（Ａ＋Ｃ）／２
により取得されるように構成したので、適切な輪郭補正信号を生成することができる。
（Ａ５）レンズの焦点が合っていない場合における輪郭補正信号のレベルは、焦点が合っている場合における輪郭補正信号のレベルよりも小さくなるように構成したので、レンズの焦点が合っている場合とレンズの焦点が合っていない場合における、ビューファインダー用映像信号の差を認識することが容易となり、したがって、フォーカス合わせをすることが、より容易となる。
【００７５】
（第３実施例）
次に、本実施形態の第３実施例について説明する。第３実施例では、図１の構成において、映像信号処理部１３の代わりに映像信号処理部２３を用いる。その他の構成は、第１実施例と同じである。映像信号処理部２３の構成は、一部が第１実施例の映像信号処理部１３と異なる。そこで、第３実施例の映像信号処理部２３について、図６を用いて説明する。図６は、本発明の実施形態の第３実施例に係る映像信号処理部の構成図である。
【００７６】
図６において、第１実施例と同じ構成には、同符号を付して説明を省略する。第３実施例においては、第１実施例のＬＰＦ１３７に代えて第２乗算部１４１と第２加算部１４２が設けられ、さらに、遅延部１４４が設けられる。
【００７７】
遅延部１４４は、色調補正部１３３の出力信号である本線用信号Ｈを遅延させ、信号Ｈ´として第２加算部１４２へ出力する。こうすることにより、第１加算部１３８で加算される信号Ｆと信号Ｇとのタイミングを適切に合わせる。タイミング合わせの詳細は後述する。
【００７８】
第２乗算部１４１と第２加算部１４２は、第１実施例のＬＰＦ１３７と同様に、信号Ｈ´（本線用信号Ｈのタイミングを遅延部１４４により遅らせたもの）の波形を鈍らせて、映像の輪郭をぼかした映像信号Ｆを生成し、第１加算部１３８へ出力する映像信号鈍らせ部（映像信号生成部）である。第２乗算部１４１と第２加算部１４２の詳細は、後述する。
【００７９】
また、第３実施例においては、第１実施例のＨＰＦ１３５に代えてＨＰＦ１４３が設けられる。第３実施例では、ＨＰＦ１４３の低周波信号抑制性能は、第１実施例のＨＰＦ１３５よりも強力であるが、ＨＰＦ１３５と同等の低周波信号抑制性能とすることも可能である。第１乗算部１３６と第１加算部１３８は、それぞれ、第１実施例の乗算部１３６及び加算部１３８と同じ機能である。
【００８０】
第２乗算部１４１は、輪郭補正信号生成部１３４で生成された輪郭補正信号Ｅを反転させ、該反転させた信号（反転信号）を、制御部１４からの指示（具体的には制御信号１４ｓ３）に従い乗算し、その結果を信号Ｋとして出力する。例えば、反転信号のゲインを２倍、つまり、信号Ｋのレベルを輪郭補正信号Ｅの２倍にする。このゲインは、予め所定値に設定しておいてもよいし、あるいは、操作部１５を介した操作者からの指示に基づく変動値としてもよい。
【００８１】
第２加算部１４２は、映像信号Ｈ´に対し、第２乗算部１４１の出力Ｋを加算することにより、映像信号Ｈ´を鈍らせて、映像の輪郭をぼかした映像信号Ｆを生成し、第１加算部１３８へ出力する。つまり、第３実施例では、第２乗算部１４１と第２加算部１４２により、映像信号Ｈ´から、輪郭補正信号Ｅを減算して、映像信号Ｆを生成する。
【００８２】
第１加算部１３８は、第２加算部１４２で生成された映像信号Ｆに対し、第１乗算部１３６の出力信号Ｇを加算する。つまり、第２加算部１４２で映像の輪郭をぼかされた映像信号Ｆに対し、第１乗算部１３６で凹信号と凸信号の輝度の強弱差（コントラストの大きさ）が調節された輪郭補正信号Ｇを重畳し、ビューファインダー用の映像信号Ｖを生成する。
【００８３】
図７Ａと図７Ｂは、第３実施例に係る映像信号処理部の動作を説明するための図である。図７Ａは、レンズ１１の焦点が合っている場合を示し、図７Ｂは、レンズ１１の焦点が合っていない場合を示す。図７Ａと図７Ｂにおいて、横軸は時間経過、縦軸は輝度レベルを示す。
【００８４】
図７Ａと図７Ｂにおける各信号について説明する。
図６で示したように、信号Ｈ´は、第２加算部１４２への入力信号であり、輪郭強調補正される前の映像信号である。信号Ｅは、輪郭補正信号であり、第２乗算部１４１への入力信号である。信号Ｋは、輪郭補正信号Ｅを第２乗算部１４１で反転させた反転信号であり、第２加算部１４２への入力信号である。この例では、第２乗算部１４１の乗数は１である。
【００８５】
信号Ｆは、第１加算部１３８の一方の入力（つまり、第２加算部１４２通過させた映像信号）、信号Ｇは、第１加算部１３８の他方の入力（つまり、ＨＰＦ１４３と第１乗算部１３６を通過させた輪郭補正信号）、信号Ｖは、第１加算部１３８の出力（つまり、ビューファインダー用の映像信号出力）である。
【００８６】
すなわち、信号Ｇは、輪郭補正信号Ｅに対し、ＨＰＦ１４３を通過させ、第１乗算部１３６で信号レベルを調整されたものである。この調整は、第１実施例と同様に、例えば、操作部１５を介した操作者からの操作に基づき、レンズ１１の焦点が合っている状態と合っていない状態とを、ＶＦ１９において峻別が容易となるように行われる。図７Ａ及び図７Ｂの例は、第１乗算部１３６の乗数が１の場合である。
【００８７】
まず、図７Ａを用いて、レンズ１１の焦点が合っている場合について説明する。
上述したように、信号Ｈ´は、本線用信号Ｈを遅延部１４４で遅延させたものであり、輪郭補正信号により輪郭強調補正される前の映像信号である。信号Ｅは、図４Ａで説明した輪郭補正信号である。信号Ｈ´と信号Ｅのタイミングは、図４Ａに示すＢとＥのタイミングと同じである。
【００８８】
信号Ｈを遅延部１４４で遅延させることにより、図７Ａに示すように、信号Ｈ´のタイミングを信号Ｅに合わせる。詳しくは、信号Ｈ´の立ち上がり（ｈ０→ｈ１）を信号Ｅの凹部ｅ１の立ち上がりに合わせる。これにより、信号Ｈ´の立ち下がり（ｈ１→ｈ２）が信号Ｅの凸部ｅ４の立ち下がりに合うことになる。
【００８９】
信号Ｋは、輪郭補正信号Ｅを第２乗算部１４１で反転させたものである。信号Ｋは、図７Ａに示すように、信号Ｈ´の立ち上がり（ｈ０→ｈ１）に対応するように、凸部ｋ１と凹部ｋ２を有し、信号Ｈ´の立ち下がり（ｈ１→ｈ２）に対応するように、凹部ｋ４と凸部ｋ５を有する。
【００９０】
詳しくは、信号Ｈ´の立ち上がり（ｈ０→ｈ１）のタイミングよりｔ時間前に凸部ｋ１が立ち上がり、凸部ｋ１の立ち上がりからｔ時間後に、凹部ｋ２が立ち下がり、凹部ｋ２の立ち下がりからｔ時間後に、平坦部ｋ３が始まる。
【００９１】
また、信号Ｈ´の立ち下がり（ｈ１→ｈ２）のタイミングよりｔ時間前に凹部ｋ４が立ち下がり、凹部ｋ４の立ち下がりからｔ時間後に、凸部ｋ５が立ち上がり、凸部ｋ５の立ち上がりからｔ時間後に、平坦部ｋ６が始まる。
【００９２】
凸部ｋ１と凸部ｋ５の高さは、それぞれ、信号Ｈ´（レベルｈ）の１／２である。凹部ｋ２と凹部ｋ４の深さは、それぞれ、信号Ｈ´（レベルｈ）の１／２である。
【００９３】
第１加算部１３８の一方の入力Ｆは、信号Ｈ´と信号Ｋを第２加算部１４２で加算したものである。つまり、信号Ｆは、信号Ｋにより信号Ｈ´を鈍らせたものであり、レンズ１１の焦点が合っている場合（つまり信号Ｈ´が鈍っていない場合）も、図７Ａに示すように、立ち上がり（ｆ０→ｆ２）と立ち下がり（ｆ２→ｆ４）が鈍って階段状となる。階段の平坦部分ｆ１及びｆ３のレベルは、それぞれ、信号Ｈ´（レベルｈ）の１／２である。平坦部分ｆ１及びｆ３の時間は、それぞれ、２ｔである。
【００９４】
また、第１加算部１３８の他方の入力Ｇは、図７Ａの例では輪郭補正信号Ｅのレベルを２倍にした信号であり、信号Ｆの立ち上がり（ｆ０→ｆ１）に対応するように、凹部ｇ１と凸部ｇ２を有し、信号Ｆの立ち下がり（ｆ２→ｆ３）に対応するように、凸部ｇ４と凹部ｇ５を有する。
【００９５】
つまり、信号Ｆの立ち上がり（ｆ０→ｆ１）のタイミングで凹部ｇ１が立ち下がり、信号Ｆの立ち下がり（ｆ２→ｆ３）のタイミングで凸部ｇ４が立ち上がる。凹部ｇ１と凹部ｇ５の深さは、それぞれ、信号Ｈ（レベルｈ）と同じである。凸部ｇ２と凸部ｇ４の高さは、それぞれ、信号Ｈ（レベルｈ）と同じである。
【００９６】
こうして、第１加算部１３８の出力、つまり、ビューファインダー用の映像信号出力である信号Ｖは、図７Ａに示すとおり、信号Ｆの立ち上がり（ｆ０→ｆ２）に対応するように、映像信号なしの状態であるｖ０からレベルが１／２ｈだけ降下してｖ１になり、時間ｔだけｖ１を維持する。その後、信号Ｖは、レベルが３／２ｈのｖ２に急上昇し、時間ｔだけｖ２を維持した後、レベルがｈのｖ３になる。
【００９７】
次に、信号Ｖは、信号Ｆの立ち下がり（ｆ２→ｆ４）に対応するように、レベルが３／２ｈのｖ４に上昇し、時間ｔだけｖ４を維持する。その後、信号Ｖは、ｖ４からレベルが２ｈだけ急降下してｖ５になり、時間ｔだけｖ５を維持する。その後、信号Ｖは、映像信号なしの状態であるｖ６になる。
【００９８】
次に、図７Ｂを用いて、レンズ１１の焦点が合っていない場合について説明する。
上述したように、信号Ｈ´は、本線用信号Ｈを遅延部１４４で遅延させたものであり、輪郭補正信号により輪郭強調補正される前の信号である。信号Ｅは、図４Ｂで説明した輪郭補正信号である。信号Ｈ´と信号Ｅのタイミングは、図４Ｂに示す信号Ｂと信号Ｅのタイミングと同じである。
【００９９】
上述したように、信号Ｈを遅延部１４４で遅延させることにより、信号Ｈ´のタイミングを信号Ｅに合わせる。詳しくは、図７Ｂに示すように、信号Ｈ´の立ち上がり（ｈ０→ｈ１）を信号Ｅの凹部ｅ１の立ち上がりに合わせる。これにより、信号Ｈ´の立ち上がり（ｈ１→ｈ２）のタイミングが信号Ｅの凸部ｅ３の立ち上がりのタイミングに合い、信号Ｈ´の立ち下がり（ｈ２→ｈ３）のタイミングが信号Ｅの凸部ｅ５の立ち下がりのタイミングに合い、信号Ｈ´の立ち下がり（ｈ３→ｈ４）のタイミングが信号Ｅの凹部ｅ７の立ち下がりのタイミングに合うことになる。
【０１００】
上述したように、信号Ｋは、輪郭補正信号Ｅを第２乗算部１４１で反転させたものである。信号Ｋは、図７Ａに示すように、信号Ｈ´の立ち上がり（ｈ０→ｈ２）に対応するように、凸部ｋ１と中間部ｋ２と凹部ｋ３を有し、信号Ｈ´の立ち下がり（ｈ２→ｈ４）に対応するように、凹部ｋ５と中間部ｋ６と凸部ｋ７を有する。
【０１０１】
詳しくは、信号Ｈ´の立ち上がり（ｈ０→ｈ１）のタイミングよりｔ時間前に凸部ｋ１が立ち上がり、凸部ｋ１の立ち上がりのｔ時間後に中間部ｋ２が始まり、中間部ｋ２の始まりからｔ時間後に凹部ｋ３が立ち下がり、凹部ｋ３の立ち下がりからｔ時間後に平坦部ｋ４が始まる。
【０１０２】
また、信号Ｈ´の立ち下がり（ｈ２→ｈ３）のタイミングよりｔ時間前に凹部ｋ５が立ち下がり、凹部ｋ５の立ち下がりからｔ時間後に中間部ｋ６が始まり、中間部ｋ６の始まりからｔ時間後に凸部ｋ７が立ち上がり、凸部ｋ７の立ち上がりからｔ時間後に平坦部ｋ８が始まる。
【０１０３】
凸部ｋ１と凸部ｋ７の高さは、それぞれ、信号Ｈ´（レベルｈ）の１／４である。凹部ｋ３と凹部ｋ５の深さは、それぞれ、信号Ｈ´（レベルｈ）の１／４である。
【０１０４】
第１加算部１３８の一方の入力Ｆは、信号Ｈ´と信号Ｋを第２加算部１４２で加算したものである。つまり、信号Ｆは、信号Ｋにより信号Ｈ´を鈍らせたものであり、図７Ｂに示すように、立ち上がり（ｆ０→ｆ４）と立ち下がり（ｆ４→ｆ８）が鈍って階段状となる。階段の平坦部分ｆ１〜ｆ４のレベルは、それぞれ、信号Ｈ（レベルｈ）の１／４、２／４、３／４、４／４であり、ｆ５〜ｆ７のレベルは、それぞれ、信号Ｈ（レベルｈ）の３／４、２／４、１／４である。平坦部分ｆ１、ｆ２、ｆ３、ｆ５、ｆ６、ｆ７の時間は、それぞれ、ｔである。
【０１０５】
また、第１加算部１３８の他方の入力Ｇは、図７Ｂの例では略ゼロレベルである。これは、輪郭補正信号Ｅが、ＨＰＦ１４３で抑圧された結果である。
【０１０６】
こうして、第１加算部１３８の出力、つまり、ビューファインダー用の映像信号出力である信号Ｖは、図７Ｂに示すとおり、信号Ｆと同じ波形、同じレベルの信号となる。
【０１０７】
詳しくは、信号Ｖは、信号Ｆの階段状の立ち上がり（ｆ０→ｆ４）に対応するように、映像信号なしの状態であるｖ０からレベルがｈのｖ４まで、階段状に立ち上がる。また、信号Ｖは、信号Ｆの階段状の立ち下がり（ｆ４→ｆ８）に対応するように、ｖ４から映像信号なしの状態であるｖ８まで、階段状に立ち下がる。
【０１０８】
こうして、ビューファインダー用の映像信号出力である信号Ｖは、レンズ１１の焦点が合っている場合、図７Ａに示すとおり、立ち上がり及び立ち下がりが急峻となり、また、立ち上がりのレベル（ｖ１→ｖ２）、及び立ち下がりのレベル（ｖ４→ｖ５）は、いずれも２ｈで、本線用信号Ｈの立ち上がりのレベル及び立ち下がりのレベルｈよりも大きい。
【０１０９】
また、レンズ１１の焦点が合っていない場合、信号Ｖは、図７Ｂに示すとおり、立ち上がり及び立ち下がりが階段状となり、また、立ち上がりのレベル（ｖ０→ｖ４）、及び立ち下がりのレベル（ｖ４→ｖ８）は、いずれもｈで、レンズ１１の焦点が合っている場合のレベル２ｈよりも小さい。
【０１１０】
このように、ビューファインダー用映像信号となる信号Ｖは、第２乗算部１４１と第２加算部１４２でぼかした映像信号Ｈ´に、輪郭補正信号である信号Ｇを加算することで、レンズ１１の焦点が合っている場合、立ち上がりと立ち下がりが急峻となり、ビューファインダー上における対象画像端部のコントラストが鮮明になる。また、信号Ｖは、レンズ１１の焦点が合っていない場合、立ち上がりと立ち下がりが緩やかな階段状となり、ビューファインダー上における対象画像端部のコントラストが不鮮明になる。したがって、カメラマンがビューファインダーを見て、コントラストを確認しながらフォーカス合わせをすることができるため、より直観的で容易なフォーカス操作が可能になる。
【０１１１】
なお、ＨＰＦ１４３を第１実施例のＨＰＦ１３５と同等のフィルタ機能とすることも可能である。この場合、信号Ｇと信号Ｖは、それぞれ、図５Ｂに示す信号Ｇ及び信号Ｖと同様となる。
【０１１２】
第３実施例によれば、少なくとも以下に示す効果を奏する。
（Ｂ１）輪郭補正信号のレベルを反転させた反転信号と映像信号とを加算することにより映像信号を鈍らせ、該鈍らせた映像信号に、凹部と凸部を有する輪郭補正信号を加算し、ビューファインダー用映像信号を生成するように構成したので、レンズの焦点が合っている場合、ビューファインダー用映像信号の立ち上がりと立ち下がりが急峻となり、レンズの焦点が合っていない場合、立ち上がりと立ち下がりが緩やかな階段状となる。したがって、カメラマンがビューファインダーを見てフォーカス合わせをすることが、容易となる。
（Ｂ２）操作者からの操作に基づき反転信号のレベルを変更できるように構成したので、反転信号を映像の状況に合った適切なレベルとすることができ、より容易にフォーカス合わせをすることができる。
【０１１３】
以上、本発明の実施形態を具体的に説明したが、本発明は上述の実施形態に限定されるものではなく、その要旨を逸脱しない範囲で種々変更可能である。
【符号の説明】
【０１１４】
１０…テレビカメラ装置、１１…レンズ、１２…撮像素子、１３…映像信号処理部、１４…制御部、１５…操作部、１６…フォーカス調節部、１７…ＶＦ映像信号出力部、１８…本線映像信号出力部、１９…ＶＦ（ビューファインダー）、２３…映像信号処理部、３１…第１遅延素子、３２…第２遅延素子、３３…加算器、３４…１／２回路、３５…減算器、１３１…ゲイン調整部、１３２…ノイズ低減部、１３３…色調補正部、１３４…輪郭補正信号生成部、１３５…ＨＰＦ、１３６…乗算部、１３７…ＬＰＦ（映像信号鈍らせ部：映像信号生成部）、１３８…加算部、１４１…第２乗算部、１４２…第２加算部、１４３…ＨＰＦ、１４４…遅延部。
【図１】
0006630829.tif 000002
【図２】
0006630829.tif 000003
【図３】
0006630829.tif 000004
【図４Ａ】
0006630829.tif 000005
【図４Ｂ】
0006630829.tif 000006
【図５Ａ】
0006630829.tif 000007
【図５Ｂ】
0006630829.tif 000008
【図５Ｃ】
0006630829.tif 000009
【図５Ｄ】
0006630829.tif 000010
【図６】
0006630829.tif 000011
【図７Ａ】
0006630829.tif 000012
【図７Ｂ】
0006630829.tif 000013